(57)【特許請求の範囲】
【請求項１】
パネル盤に取り付けられるパネル計器において、
第１，第２のパネル計器寸法規格に適合した外形寸法を有する本体ボディとこの本体ボディの一端に設けられ前記第１のパネル計器寸法規格に適合した前面パネル占有面積を有するフランジ状の表示部とを有するパネル計器本体と、
前記表示部の前面に装着されるリング状のフロントパネルと、
前記フロントパネルと共働して前記表示部を挟持するリング状のリアパネルと、
このリアパネルの一方の対角線上に第２のパネル計器寸法規格に適合した取り付け穴規格に対応して設けられた第１の取り付け穴と、
前記リアパネルの他方の対角線上に第３のパネル計器寸法規格に適合した取り付け穴規格に対応して設けられた第２の取り付け穴と
を具備したことを特徴とするパネル計器。
【請求項２】
前記第１のパネル計器寸法規格はＤＩＮ規格が、前記第２のパネル計器寸法規格はＪＩＳ規格が、前記第３のパネル計器寸法規格はＡＮＳＩ規格が用いられたこと
を特徴とする請求項１記載のパネル計器。
【発明の詳細な説明】
【技術分野】
【０００１】
本発明は、複数のパネル計器寸法規格に適合できるパネル計器に関するものである。
【背景技術】
【０００２】
パネル計器の取り付け構造に関する規格として、ＪＩＳ規格やＤＩＮ規格やＡＮＳＩ規格などがある。これらパネル計器に関連する先行技術文献としては次のようなものがある。
【非特許文献１】横河電機株式会社発行、General  Specifications、番号：ＧＳ７７Ｃ０１Ｃ０１-０１、「ＰＲ２０１電力モニタ」、２００５年１０月  ４版、Ｐ８
【非特許文献２】横河電機株式会社発行、General  Specifications、番号：ＧＳ７７Ｃ０１Ｕ０１-０１、「ＵＺ００５電力モニタ」、２００５年１０月  ４版、Ｐ８
【非特許文献３】エレクトロインダストリ社ホームページ→「HOT NEWS PRODUCT/SHARK100」→「DOWNLOADS/SHARK100 DIEMNSIONS(pdf)」、［平成１７年１１月９日検索］インターネット＜ＵＲＬ：http://www.electroind.com/pdf/SharkDim.pdf＞
【０００３】
図４は従来例の構成説明図で、非特許文献１に記載されているパネル計器「ＰＲ２０１型電力モニタ」をＪＩＳ規格に基づくパネルに取り付けるための図であり、（ａ）はパネル計器の正面図、（ｂ）は側面図、（ｃ）は平面図、（ｄ）は裏面図、（ｅ）はパネルカット図である。
【０００４】
パネル計器の前面パネル占有寸法は１１０×１１０ｍｍである。パネルカットは、パネル計器の本体を挿入するための直径１０１ｍｍの丸穴、パネル計器の前面パネルを取り付けるための取り付けねじ穴のピッチは直交するＸＹ方向に９０ｍｍであり、それぞれＪＩＳ規格  Ｃ１１０３−１９８４：ＫＷ３ａ形式  の寸法規格を満たしている。
【０００５】
図５は他の従来例の構成説明図で、非特許文献２に記載されているパネル計器「ＵＺ００５型電力モニタ」をＤＩＮ規格に基づくパネルに取り付けるための図であり、（ａ）はパネル計器の正面図、（ｂ）は側面図、（ｃ）は平面図、（ｄ）は裏面図、（ｅ）はパネルカット図である。
【０００６】
パネル計器の前面パネル占有寸法は９６×９６ｍｍである。パネルカットは９２ｍｍ角穴を有し、ＤＩＮ規格  ＤＩＮ  ４３  ７００：９６ｍｍ角の寸法規格を満たしている。
【０００７】
図６も他の従来例の構成説明図で、非特許文献３に記載されているパネル計器「ＳＨＡＲＫ１００」をＡＮＳＩ規格に基づくパネルに取り付けるための図であり、（ａ）はパネル計器の正面図、（ｂ）は側面図、（ｃ）は裏面図、（ｄ）はパネルカット図である。
【０００８】
パネル計器の前面パネル占有寸法は１２３．１９×１２３．１９ｍｍである。パネルカットは、パネル計器の本体を挿入するための直径１０１ｍｍの丸穴、パネル計器の前面パネルを取り付けるための取り付けねじ穴のピッチは直交するＸＹ方向に８５．８５ｍｍであり、それぞれＡＮＳＩ規格  ＡＮＳＩ  Ｃ３９．１：４“  Ｒｏｕｎｄ  Ｆｏｒｍの寸法規格を満たしている。
【発明の開示】
【発明が解決しようとする課題】
【０００９】
従来のこれらパネル計器は、ＪＩＳ規格やＤＩＮ規格やＡＮＳＩ規格などの各規格ごとに、個別の筐体を準備することが行われていた。
【００１０】
この場合、各種の規格に対応できるように、あらかじめ筐体を複数種類用意しなければならず、筐体の金型などの初期投資が必要になり、筐体に収納されるプリント板などもそれぞれの筐体に合わせた設計が必要になる場合もある。
【００１１】
また流通時に、各種の規格に対応したパネル計器の在庫を準備する必要があり、コスト高要因になる。
【００１２】
また、図６の従来例では、筐体の胴体部分をＡＮＳＩ規格の丸穴およびＤＩＮ規格の角穴に対応する形状に形成しているが、パネルの前面に出る表示部を有する前面パネル部分はＡＮＳＩ規格(１１０ｍｍ角相当)のみに対応している。このため、ＤＩＮ規格(９６ｍｍ角)のパネル計器との互換性が得られず、ＡＮＳＩ規格のパネル計器をＤＩＮ規格のパネル計器にリプレースできない場合がある。
【００１３】
本発明の目的は、これらの課題を解決するもので、類似のパネルカット穴を有する複数のパネル計器寸法規格のいずれの規格にも適合して既存のパネル計器の置き換えを容易に行うことができ、筐体の共通化による開発投資、流通コストなどを削減できるパネル計器を提供することにある。
【課題を解決するための手段】
【００１６】
このような課題を達成するために、本発明の請求項１のパネル計器においては、
パネル盤に取り付けられるパネル計器において、第１，第２のパネル計器寸法規格に適合した外形寸法を有する本体ボディとこの本体ボディの一端に設けられ前記第１のパネル計器寸法規格に適合した前面パネル占有面積を有するフランジ状の表示部とを有するパネル計器本体と、前記表示部の前面に装着されるリング状のフロントパネルと、前記フロントパネルと共働して前記表示部を挟持するリング状のリアパネルと、このリアパネルの一方の対角線上に第２のパネル計器寸法規格に適合した取り付け穴規格に対応して設けられた第１の取り付け穴と、前記リアパネルの他方の対角線上に第３のパネル計器寸法規格に適合した取り付け穴規格に対応して設けられた第２の取り付け穴とを具備したことを特徴とするパネル計器。
【００１７】
本発明の請求項２のパネル計器においては、請求項１記載のパネル計器において、
前記第１のパネル計器寸法規格はＤＩＮ規格が、前記第２のパネル計器寸法規格はＪＩＳ規格が、前記第３のパネル計器寸法規格はＡＮＳＩ規格が用いられたことを特徴とする請求項１記載のパネル計器。
【発明の効果】
【００１８】
本発明の請求項１によれば、次のような効果がある。
類似のパネルカット穴を有する複数のパネル計器寸法規格のいずれの規格にも適合できるパネル計器が得られる。
また、既存装置のパネル計器の置き換えを容易にできるパネル計器が得られる。
また、パネル計器の筐体の共通化による開発投資、流通コストが削減できるパネル計器が得られる
【００１９】
本発明の請求項２によれば、次のような効果がある。
ＪＩＳ規格とＤＩＮ規格とＡＮＳＩ規格とが用いられたので、類似のパネルカット穴を有するＪＩＳ規格とＤＩＮ規格とＡＮＳＩ規格のいずれの規格にも適合できるパネル計器が得られる。
【発明を実施するための最良の形態】
【００２０】
以下本発明を図面を用いて詳細に説明する。
図１は本発明の一実施例を前面側から見た要部斜視構成説明図、図２は図１の実施例を背面側から見た要部斜視構成説明図である。図３は図１の部品説明図で、（ａ）はＪＩＳ規格対応の例を示し、（ｂ）はＡＮＳＩ規格対応の例を示している。
【００２１】
以下の説明では、説明を分かりやすくするために、ＪＩＳ規格とＤＩＮ規格とＡＮＳＩ規格とを対象とした実施例について説明する。パネルカット穴が直径１００ｍｍ程度を対象としたパネル計器の場合、前面パネル占有面積の大きさではＤＩＮ規格が最小になり、本体ボディ形状の大きさではＤＩＮ規格とＪＩＳ規格の重複した形状が最小になる。
【００２２】
図１において、パネル計器本体１０は、本体ボディ１１と本体ボディ１１の一端に設けられた表示部１２とを有する。
【００２３】
本体ボディ１１は筒状に形成されていて、その外形はＤＩＮ規格の９２ｍｍパネルカット角穴とＪＩＳ規格の直径１００ｍｍパネルカット丸穴とを共に通るように設計されている。従って、ＡＮＳＩ規格のパネルカット穴１０１ｍｍ直径穴も通ることになる。
【００２４】
表示部１２の外形は、前記３つの規格の内でパネル占有面積が最も小さいＤＩＮ規格の規定を満足するように、９６ｍｍ角を有するフランジ状に形成されている。そして、この表示部１２を、パネル占有面積がＡＮＳＩ規格よりも大きなＪＩＳ規格やＡＮＳＩ規格のパネルカットに取りつける場合には、アダプタとして、リアパネル２１とフロントパネル２２とを使用する。
【００２５】
リアパネル２１には、図３に示す如く、パネル盤に取り付け用のボルト２１１を圧入するための第１、第２の座ぐり六角穴２１２，２１３が設けられている。
【００２６】
まず、第１の六角穴２１２は、図３（ａ）に示す如く、リアパネル２１の一方の対角線上に、ＪＩＳ規格の取り付け穴規格である直交するＸＹ方向に９０ｍｍピッチを満たすように設けられている。
【００２７】
そして、第２の六角穴２１３は、図３（ｂ）に示す如く、リアパネル２１の他方の対角線上に、ＡＮＳＩ規格の取り付け穴規格である直交するＸＹ方向に３．３６インチピッチを満たすように設けられている。なお、これら第１、第２の六角穴２１２，２１３は、ボルト２１１の回転止めを兼ねている。
【００２８】
リアパネル２１は、本体ボディ１１の後方から表示部１２にはめ込む。リアパネル２１のはめ込みにあたっては、対角の位置に圧入されたボルト２１１が装置前面より見て左上と右下になるようにする。このとき、リアパネルの突起２１４を表示部１２に設けられた穴１２１に挿入することにより、リアパネル２１と表示部１２相互の位置決めを行う。そして、リアパネル２１のねじ止め用貫通穴２１５にねじ２１６を挿入して、表示部１２に設けられた穴１２１にねじ止め固定する。
【００２９】
ここで、表示部１２に設けられた穴１２１は、リアパネル２１の位置決め穴と固定用ねじ穴を兼ねている。従って、例えば、パネル計器をＪＩＳ規格対応からＡＮＳＩ規格対応に変える場合には、リアパネル２１を９０度回転させてリアパネル２１の取り付け位置を変えればよい。これにより、穴１２１の役割が位置決め穴と固定用ねじ穴との間で入れ替わることになる。
【００３０】
フロントパネル２２は、表示部１２の前面からリアパネル２１に装着する。フロントパネル２２の装着にあたっては、フロントパネル２２に設けられた爪２２１がリアパネル２１の切り欠き２１７に係止される。これにより、フロントパネル２２はリアパネル２１に固定される。フロントパネル２２に設けられたリブ２２２は、係止の際、フロントパネル２２が規定の位置より奥へ挿入されることを防止する。
【００３１】
このように構成することにより、類似のパネルカット穴を有する複数のパネル計器寸法規格、例えばＪＩＳ規格とＤＩＮ規格とＡＮＳＩ規格のいずれの規格にも適合できるパネル計器が得られる。
【００３２】
また、既存パネル計器の置き換えを容易にできるパネル計器が得られる。
【００３３】
また、パネル計器の筐体の共通化による開発投資、流通コストが削減できるパネル計器が得られる。
【００３４】
六角座ぐり穴２１２と六角ボルト２１１とで取り付けるように構成されているので、パネル計器の取り付け位置が正確にできるパネル計器が得られる。
【００３５】
ここで、六角ボルト２１１は、本体に超音波融着などの手段で固着されていないので、装置廃棄時の分解を容易にできるパネル計器が得られる。そして、六角ボルト２１１が本体に固着されていないことにより、顧客においてＪＩＳ規格とＡＮＳＩ規格の切り替えなど、既存のパネル計器の置き換えを容易に行うことができる。
【００３６】
また、リアパネル２１と表示部１２とを、表示部１２の位置出し穴１２１とこの位置出し穴１２１に挿入されるリアパネル２１の突起２１４とで結合しているので、リアパネルと表示部との接触面の位置出しを簡単な構成で正確に行うことができる。
【００３７】
表示部１２とリアパネル２１とは、固定ねじ穴１２１と貫通穴２１５と固定ねじ２１６との簡単な構成によりねじ止め固定されているので、リアパネルと表示部とを確実に固定できる安価なパネル計器が得られる。
【００３８】
リアパネル２１とフロントパネル２２との間にはリアパネル２１の切り欠き２１７とこの切り欠き２１７に係止されるようにフロントパネル２２に設けられた爪２２１とで構成される簡潔な係止手段が設けられたので、リアパネル２１にフロントパネル２２を容易に着脱できる安価なパネル計器が得られる。
【００３９】
またフロントパネル２２には、フロントパネル２２と表示部１２との前後方向の位置出しをするリブ２２２による前後方向位置出し手段が設けられているので、表示部１２に対してフロントパネル２２を正確に配置できる安価なパネル計器が得られる。
【００４０】
要するに、本実施例によれば、最もサイズの小さなＤＩＮ規格適合パネルとＤＩＮおよびＪＩＳの両規格の重複した形状の本体ボディを持つ計器１０をベースとし、アダプタとしてフロントパネル２２とリヤパネル２１を使用し、リヤパネル２１を９０度回転して取り付けることにより、取付ねじピッチの異なるＪＩＳ規格、ＡＮＳＩ規格の両規格に適合できるようにしているので、ＪＩＳ規格、ＡＮＳＩ規格、ＤＩＮ規格いずれの規格にも適合したパネル計器を提供できる。
【００４１】
なお、前述の実施例においては、パネル盤取り付けねじは六角形の頭部を有するボルト２１１と説明したが、これに限ることはなく、通常に使用されるねじであっても良い。
【００４２】
なお、前述の実施例においては、パネルカットが１００ｍｍ直径穴程度を対象としたパネル計器について説明したが、パネルカットの直径穴寸法がこれに限るものではない。
【００４３】
また、例えば、アダプタとしてのリアパネル２１とフロントパネル２２の枠幅寸法を大きくすることにより、パネルカットが１００ｍｍ直径穴より大きな寸法を対象とした規格にも使用できる。
【００４４】
なお、前述の実施例においては、説明を分かりやすくするために、具体的な対応規格がＪＩＳ、ＡＮＳＩ、ＤＩＮ規格の場合について説明したが、これに限ることはなく、その他の規格を対象としても良い。
【００４５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４６】
【図１】本発明の一実施例の要部斜視構成説明図である。
【図２】図１の背面側から見た要部斜視構成説明図である。
【図３】図１の部品説明図である。
【図４】従来より一般に使用されている従来例の構成説明図である。
【図５】従来より一般に使用されている他の従来例の構成説明図である。
【図６】従来より一般に使用されている他の従来例の構成説明図である。
【符号の説明】
【００４７】
１０    パネル計器本体
１１    本体ボディ
１２    表示部
１２１  穴
２１    リアパネル
２１１  ボルト
２１２  第１の六角穴
２１３  第２の六角穴
２１４  突起
２１５  貫通穴
２１６  ねじ
２１７  切り欠き
２２    フロントパネル
２２１  爪
２２２  リブ
【図１】
0004873221.tif 000002
【図２】
0004873221.tif 000003
【図３】
0004873221.tif 000004
【図４】
0004873221.tif 000005
【図５】
0004873221.tif 000006
【図６】
0004873221.tif 000007